(57)【要約】【目的】 ドラム缶内の液状物質の抜き出し時に吸い込み部にエアの進入を防止するとともに抜き出し後の残材を少量とすること。【構成】 ドラム缶の底部の中央部に外方に突出する所要の径を有する凹部を構成し、ドラム缶の周縁部を前記の缶底部より突出する凹部の高さに相当する高さとし、缶底部において前記の中央部に形成した凹部により缶底面の内径を疑似的に減少させ、缶の内底面における残材の量を減少させる。 【効果】 ドラム缶の内部の底部中央に円形状の窪み部を設けたのでドラム缶の内部底面において缶の内径を擬似的に減少するようにしたので、ドラム缶内の液状物質の抜き出しにおいて、吸い込み管内にエアの流入防止するために取り残される残材の量を低減することがかのうとなる。【選択図】    図１
2006248601.tif 000002
【特許請求の範囲】
【請求項１】
ドラム缶の底部の中央部に相当する位置に外方側に所定高さの円形状の突状部を形成し、該突状部を残してその周辺部をドラム缶の底部を形成する水平面となるようにドラム缶の周縁を内側に所要高さとして折り曲げ、前記ドラム缶の底部中央の外方に前記の円形状の突状部が突出するように形成し、前記外方に形成した円形状の突状部によりドラム缶の底面に円形の窪み部を設けることにより缶の底部において該缶の内径を擬似的に減少せしめるように構成したことを特徴とするドラム缶。
【請求項２】
ドラム缶の内部底面に周辺が該ドラム缶の内周に接するとともに中央部に所要の内径を有する円形状の空隙を形成した円形の弾性材製マットを配設して前記マットの表面がドラム缶の底面を形成するようになし、該ドラム缶の底面を形成する前記マット中央部の円形状の窪みにより缶の底部において缶の内径を擬似的に減少せしめるように構成たことを特徴とするドラム缶。
【請求項３】
弾性材製マットを被覆したことを特徴とする請求項２記載のドラム缶。
【発明の詳細な説明】
【技術分野】
【０００１】
本発明は、ドラム缶に関し、さらに詳細には比重の大きい粘性物質等を収容するドラム缶において前記内容物を取り出す際ドラム缶の底部に残される廃棄物となる残材をできるだけ少量にすることができるドラム缶に関する。
【背景技術】
【０００２】
上記したドラム缶内の液状物質を完全に抜き出すためのドラム缶ポンプアップ装置として、支持台上に液等の内容物が充満されたドラム缶を載置し、吸込管を移動してドラム缶の口部から管底まで挿入し、次いでポンプを駆動させることにより吸込管を通じてドラム缶内の液等を抜き出す。一定時間経過後、傾斜手段によりドラム缶を傾斜せしめて、ドラム缶底面周部の一番低い場所に吸込管の端部を配置して内部の液等を抜き出すことにより、ドラム缶内の液等を殆ど抜き出すことができるものが提案されている（特許文献１参照）。
【特許文献１】特開平―１３３７８８号公報
【０００３】
しかしながら、近年、加圧ローラ等に適用される液状シリコーンゴムは顧客の要求として高熱伝導化が進んでおり金属フィラーの充填等によりその比重が従来の１.2倍から２.０倍程度、比重１．４から２．４まで大きくなっており、その比重は当面下げられる様子はみることができない。前記したような液状シリコーンゴムをドラム缶内に収容し、その状態で販売される場合、需要者はドラムポンプを利用して内部の液状シリコーンゴムを抜き取っているが、この抜き取りに当たり、通常は、図４に示すようにポンプ(図示しない)に連通する吸込管２１の下部を外周に水平状に拡開してホイール２２を形成し、前記のホイール２２の外周リップ部２３はドラム缶２０の内周に接するようにし、この吸込管２１をドラム缶２０内を上方より押し下げて缶内の液状シリコーンゴムを抜き出すものであるが、前記した吸込管２１のホイール２２をドラム缶の底部にまで押し込みドラム缶２０内の液状シリコーンゴムを完全に抜き取ろうとすると、吸込管２１内に負圧が発生し、吸込管２１のホイール２２の外周リップ２３と缶２０の内周との間を液状シリコーンゴムが抜き取られ空になった部分に存在するエアが矢印Aに示すようにすり抜けて吸込管２１内にエアが流入してしまうことになる(図４参照)。
【０００４】
そして、この流入したエアは、次の計量システムに対して悪影響を与えることになるので、前記した吸込管２１へのエアの吸い込みを避けるためドラム缶２０の底部まで吸込管２１を押し込み液状シリコーンゴムを完全に使い切ることなく前記のエアの吸い込みを防止するため、ドラム缶２０の底部より一定の高さHまで内容物である液状シリコーンゴムを抜き出したところでセンサ等によってドラムポンプの運転を停止し吸い込みを中止している。このため、ドラム缶内の液状シリコーンゴムはドラム缶底部に大量に残材２５として残り廃棄せざるを得ないという問題がある(図５参照)。このことは、上記の液状シリコーンゴムによって製せられるゴムのコストの高騰を招き前記した比重同様１.2倍あるいは２.0倍程度にもなるおそれがある。
【発明の開示】
【発明が解決しようとする課題】
【０００５】
前記した特許文献１に記載のドラム缶のポンプアップ装置においては、ドラム缶内の液等のほとんどを抜き出すことが可能であるが、ドラム缶の傾斜させるための装置等を必要とするものであり、また、工程上必要とする計量システムへのエアの混入を避けるための手段について特に配慮されてないという問題点を有している。そこで、本発明は、液状シリコーンゴムをドラム缶内に収納したときの前記した問題点に鑑みて発明されたもので、ドラム缶内の内容物を抜き出すにあたり、ドラム缶を傾斜せしめることなくその内容物の残材を可能なかぎり減少させ、材料歩留まりを向上せしめるとともに、吸い込み管にエアの流入を防止するようにしたドラム缶の提供を目的とするものである。
【課題を解決するための手段】
【０００６】
本発明に係るドラム缶は、前記の目的を達成するために、第一の発明は、ドラム缶の底部の中央部に相当する位置に外方側に所定高さの円形状の突状部を形成し、該突状部を残してその周辺部をドラム缶の底部を形成する水平面となるようにドラム缶の周縁を内側に所要高さとして折り曲げ、前記ドラム缶の底部中央の外方に前記の円形状の突状部が突出するように形成し、前記外方に形成した円形状の突状部によりドラム缶の底面に円形の窪み部を設けることにより缶の底部において該缶の内径を擬似的に減少せしめるように構成したことをその特徴とし、また、第二の発明は、ドラム缶の内部底面に周辺が該ドラム缶の内周に接するとともに中央部に所要の内径を有する円形状の空隙を形成した円形の弾性材製マットを配設して前記マットの表面がドラム缶の底面を形成するようになし、該ドラム缶の底面を形成する前記マット中央部の円形状の窪みにより缶の底部において缶の内径を擬似的に減少せしめるように構成したことをその特徴とするものであり、さらに、前記の円形状の弾性材製マットを被覆したことを特徴とするものである。
【発明の効果】
【０００７】
本発明に係るドラム缶は、ドラム缶の内部の底部中央に円形状の窪み部を設けてドラム缶の内部底面において缶の内径を擬似的に減少するようにしたので、ドラム缶内の液状内容物の抜き出しにおいて、吸い込み管内にエアの流入を防止するために取り残される残材の量を低減することが可能であり、また、前記と同様の効果を得るためにドラム缶の内部低面に円形状の空隙を形成した弾性材製のマットを配置するものにおいては、ドラム缶そのものの形状を変える必要がないものである。
【発明を実施するための最良の形態】
【０００８】
本発明の実施の形態を説明すると、図１は本発明の第１の実施の形態であり、ドラム缶１は、その底部の中央部に相当する位置に外方側に所定高さの円形状の突状部２を形成し、該突状部２を残してその周辺部をドラム缶１の底部である水平部３を構成するようにドラム缶の周縁下部を内側に所要高さｈとして折り曲げ４とし、前記ドラム缶１の底部中央の外方に前記の円形状の突状部２が突出するように加工されている。そして、前記の高さｈは突状部２の高さより多少高くすることによりドラム缶１の傾きや転倒を防止するようにする。また、前記の加工は型により押圧することにより容易に加工可能である。上記のように加工されたドラム缶１は、底面において底部の水平面は前記の缶の外側に設けられた円形状の突状部２のため底部中央において円形の凹部が形成されることにより、ドラム缶１の内部底面で缶の内径を擬似的に減少させることになる。
【０００９】
上記のように構成されたドラム缶１内の液状シリコーンゴムを抜き取るには、ポンプ(図示しない)に連通する吸込管６の下部を外周に水平状に拡開してホイール７を形成し、該のホイール７の先端周縁であるリップ８をドラム缶１の内周に接するようにし、この吸込管６をドラム缶１の上方より押し下げて缶内の液状シリコーンゴムを抜き出すものであるが、内容物である液状シリコーンゴムの抜き出しを進め前記した吸込管６のホイール７がドラム缶１の底部近傍にまで達したときポンプの運転を停止し吸い込みを中止したとき、内容物である液状シリコーンゴムは大略抜き取られ、その残材１０は、ドラム缶１の底部の外側に形成された突状部２の凹部１１内に残存し、また、ホイール７とドラム缶１の底面に僅かに薄く残る程度となる。そして、前記したホイール７と缶底面との間に残存する残材１２及び前記の凹部１１内に残存する残材１０の存在により内容物である液状シリコーンゴムが抜き出された空間のエアは前記の残材１２及び１０により吸込管６内に流入することが防止されることになる。
【００１０】
前記した内容物であるシリコーンゴムの残材１０及び１２の残存量についてみるに、ドラム缶の底部に何らの加工が施されていないとき、吸込管によりドラム缶１内の液状シリコーンゴムを抜き出し前記吸込管内にエアが混入するのを防止するために缶の底から所要の高さのところでポンプの運転を停止したときの缶の底に残された残材の容積は、（缶の内半径）＾２×（円周率）×（高さ）[式A]により得られる。そして、ドラム缶の底面に本第一の実施の形態のようにドラム缶１の底部中央に円形状の穴が形成され、ドラム缶１の底面において缶の内径が減少することにより得られる前記した残材の容積は、（穴部の内半径）＾２×（円周率）×（高さ）[式B]で示され、残材の量は従来の何らの加工を伴わないものに比して残材の量が減少し、材料の歩留まりが向上するものである。
【００１１】
従来のドラム缶の底部に何らの加工を施さない場合において、センサ等によりドラム缶の内部底面から３０mmでポンプの運転を停止したとき、ドラム缶の底面の内半径が２８３.５ｍｍであったとき、前記式Aにより２８３.５＾２×π×３０＝７５７４．９ｃｍ＾３であるが、本第一の実施の形態による前記の缶の中央に形成される円形状穴の内半径を１００mmとし前記と同様センサ等によりドラム缶の内部底面から３０mmの高さで運転を停止したとき、前記式Bにより１００＾２×π×３０=９４２．５ｃｍ＾３であり、残材は約１/８に減少し、原料歩留まりが３%向上するものであり、例え、従来のものと同様な缶底よりの高さで運転を停止しても残材の量は低減されるとする優れた効果を有するものである。
【００１２】
次に、本発明の第二の実施の形態を図２、図３により説明するが、前記した第一の実施の形態と同一の部材は同一の符号を用いて説明することとする。この第二の実施の形態は、前述した第一の実施の形態のドラム缶１の底部に設けた外側に突出した円形状の突状部２と同様の構成をドラム缶の形状を変えることなく同様の効果を得ることで発明されたもので、１５はドラム缶１の内周と略同等の外径を有するとともに中央部に所要の径を有する円形状の穴１６を形成した所要の厚みＬを有する弾性材製マットであり、該弾性材製マット１５をドラム缶１内の底部に配置する。
【００１３】
上記したように、前記した中央部に円形状の穴１６を設けた弾性材製マット１５を配置することによって該弾性材製マット１５の表面がドラム缶１の底面に相当することになるので、底面が前記の中央部の穴１６により中断される状態となり缶の内部底面において缶の内径を擬似的に減少させる状態を構成することができる。   
【００１４】
上記のように構成されたドラム缶１内の液状シリコーンゴムを抜き出すには、ポンプ(図示しない)に連通する吸込管６の下部を外周に水平状に拡開してホイール７を形成し、該のホイール７の先端周縁であるリップ８をドラム缶１の内周に接するようにし、この吸込管６をドラム缶１の上方より押し下げて缶内の液状シリコーンゴムを抜き出すものであるが、内容物である液状シリコーンゴムの抜き出しを進め前記した吸込管６のホイール７がドラム缶１の底部に配設の弾性材製マット１５の表面に達したときポンプの運転を停止し吸込管６の下降を中止させたときには、内容物である液状シリコーンゴムは大略抜き取られ、その残材１０は、ドラム缶１の底部に配設の弾製材製マット１５の中央に形成の円形の穴１６によって構成される窪み部１７内に残存し、また、ホイール７とドラム缶１の底面に配設の前記マット１５の表面に僅かに残る程度となる。そして、前記したホイール７とマット１５の表面との間に残存する残材１２及び前記の円形状窪み部内に残存する残材１０の存在により内容物である液状シリコーンゴムが抜き出されたドラム缶１の空間のエアは前記の残材１０及び１２により吸込管６内に流入することが防止されることになる。
【００１５】
そして、前記の残材の量に関しては、前述した第一の実施の形態で説明したと同様であり、従来のものに比しその残材の量を減らすことができたものである。
【００１６】
前記した弾性材製マット１５の材料は、ゴム、樹脂、金属等ドラム缶に充填される物質で汚染、変質、変形しないものであればどのようなものでもよく、特に限定されるものでない。また、弾性としたのは、ドラム缶の内径等に合わせて多小の変形が許されることである。
また、上記した弾性材製マット１５を被覆することによってマットを再利用することも可能である。
【図面の簡単な説明】
【００１７】
【図１】本発明の第一の実施の形態の説明図
【図２】本発明の第二の実施の形態の説明図
【図３】ａはマットの平面図  ｂはマットの断面図
【図４】従来の液抜き出し時のエアの流れの説明図
【図５】従来の液抜き出し時の残材量の説明図
【符号の説明】
【００１８】
１    ドラム缶     
２   突状部      ６   吸込管
１０  残材          
１５  弾性材製マット
【図１】
2006248601.tif 000003
【図２】
2006248601.tif 000004
【図３】
2006248601.tif 000005
【図４】
2006248601.tif 000006
【図５】
2006248601.tif 000007